【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
温度を感知する方法であって、
ある周波数スペクトルを有する磁界信号を生成するステップであって、前記磁界信号が磁界に応答するものである、ステップと、
温度信号を生成するステップと、
前記温度信号を、前記磁界信号の前記周波数スペクトルの外側の周波数に変調するステップであって、第１の変調信号をもたらす、ステップと、
合成信号を生成するように前記磁界信号を前記第１の変調信号と合成するステップと
を含む方法。
【請求項２】
前記温度信号を表すデータを前記合成信号から抽出するステップをさらに含む、請求項１に記載の方法。
【請求項３】
前記データを抽出する前に前記合成信号をデジタル信号に変換するステップをさらに含む、請求項２に記載の方法。
【請求項４】
前記抽出するステップが、
前記合成信号を変調し、前記温度信号を表す前記データをベースバンド周波数にシフトし第２の変調信号をもたらすステップと、
フィルタを前記第２の変調信号に適用し、前記温度信号を表す前記データを前記第２の変調信号から分離するステップと
を含む、請求項２に記載の方法。
【請求項５】
前記磁界信号が、目標物体の速度または位置を検出するための信号であり、前記周波数スペクトルの幅が、前記目標物体の前記速度によって規定される、請求項１に記載の方法。
【請求項６】
前記目標物体が、歯を有するホイールであり、前記磁界信号上のピークが、磁界感知要
素に対する歯の近接性を表す、請求項５に記載の方法。
【請求項７】
前記温度信号を生成するステップが、ＰＮ接合を通過する電流を監視するステップを含む、請求項１に記載の方法。
【請求項８】
前記ＰＮ接合が、ダイオードまたはＢＪＴトランジスタの一部である、請求項７に記載の方法。
【請求項９】
前記ダイオードまたはＢＪＴトランジスタが、温度を測定するために特に設計されたものでない回路の一部である、請求項８に記載の方法。
【請求項１０】
前記温度信号を変調するステップが、前記磁界信号の最大周波数の約２倍である周波数で変調するステップを含む、請求項１に記載の方法。
【請求項１１】
前記磁界信号を前記第１の変調信号と合成するステップが、前記合成信号を生成するように前記磁界信号と前記第１の変調信号を合計するステップを含む、請求項１に記載の方法。
【請求項１２】
前記合成信号を前記デジタル信号に変換するステップが、前記合成信号を処理するために十分大きな帯域幅を備えるアナログ−デジタル変換器で前記デジタル信号を生成するステップを含む、請求項１に記載の方法。
【請求項１３】
ある周波数スペクトルを有する磁界信号を生成するように構成された回路であって、前記磁界信号が、装置の外部の磁界に応答するものである、回路と、
温度信号を生成するように構成された温度感知回路と、
前記温度信号を、前記磁界信号の前記周波数スペクトルの外側の周波数に変調して、第１の変調信号をもたらすように構成された第１の変調回路と、
合成信号を生成するように前記磁界信号を前記第１の変調温度信号と合成するように構成された合成回路と
を備える装置。
【請求項１４】
前記温度信号を表すデータを前記合成信号から分離し温度読取り値を生成するように構成された分離回路をさらに備える、請求項１３に記載の装置。
【請求項１５】
前記分離回路が、
前記温度信号を表す前記データをベースバンド周波数にシフトし第２の変調信号をもたらすように構成された第２の変調回路、および、
前記第２の変調信号を受け取るように結合され、前記温度信号を表す前記データを前記第２の変調信号から分離するように構成されたフィルタ
のうちの１つまたは複数を備える、請求項１４に記載の装置。
【請求項１６】
前記磁界信号を生成するように構成された前記回路が、目標物体の速度または位置を検出するための回路であり、前記周波数スペクトルの幅が、前記目標物体の前記速度によって規定される、請求項１３に記載の装置。
【請求項１７】
磁界感知要素をさらに備え、前記目標物体が、歯を有するホイールであり、前記ホイールの前記歯が前記磁界感知要素を通過したとき前記磁界信号上のピークが生成される、請求項１６に記載の装置。
【請求項１８】
前記温度感知回路がＰＮ接合を含む、請求項１３に記載の装置。
【請求項１９】
前記ＰＮ接合が、ダイオードまたはＢＪＴトランジスタの一部である、請求項１８に記載の装置。
【請求項２０】
前記ダイオードまたはＢＪＴトランジスタが、温度を測定するために特に設計されたものでない回路の一部である、請求項１９に記載の装置。
【請求項２１】
前記温度感知回路が、前記温度信号を前記磁界信号の最大周波数の約２倍である周波数で変調するように構成される、請求項１３に記載の装置。
【請求項２２】
前記合成回路が、前記合成信号を生成するように前記磁界信号と前記変調温度信号を合計するように構成された合計回路を備える、請求項１３に記載の装置。
【請求項２３】
前記合成信号を処理するために十分大きな帯域幅を有するアナログ−デジタル変換器をさらに備える、請求項１３に記載の装置。
【請求項２４】
ある周波数スペクトルを有する磁界信号を生成するように構成された回路であって、前記磁界信号が外部の磁界の強度を表す、回路と、
前記磁界信号を較正するために温度信号を生成するように構成された温度感知回路と、
前記温度信号を、前記磁界信号の前記周波数スペクトルの外側の周波数に変調して、第１の変調信号をもたらすように構成された第１の変調回路と、
合成信号を生成するように前記磁界信号を前記第１の変調信号と合成するように構成された合成回路と、
前記合成信号をデジタル処理回路に提供するように動作する出力と
を備える磁界センサ。
【請求項２５】
前記温度信号を表すデータを前記合成信号から分離し温度読取り値を生成するように構成された分離回路をさらに備える、請求項２４に記載のセンサ。
【請求項２６】
前記分離回路が、
前記温度信号を表す前記データをベースバンド周波数にシフトし第２の変調信号をもたらすように構成された第２の変調回路、および、
前記第２の変調信号を受け取るように結合され、前記温度信号を表す前記データを前記第２の変調信号から分離するように構成されたフィルタ
のうちの１つまたは複数を備える、請求項２５に記載のセンサ。
【請求項２７】
前記磁界信号を生成するように構成された前記回路が、目標物体の速度または位置を検出するための回路であり、前記周波数スペクトルの幅が、前記目標物体の前記速度によって規定される、請求項２５に記載のセンサ。
【請求項２８】
磁界感知要素をさらに備え、前記目標物体が、歯を有するホイールであり、前記ホイールの前記歯が前記磁界感知要素を通過したとき前記磁界信号上のピークが生成される、請求項２７に記載の装置。
【請求項２９】
温度を感知する方法であって、
ある周波数スペクトルを有する第１の信号を生成するステップであって、前記第１の信号が磁界に応答するものである、ステップと、
温度に応答する第２の信号を生成するステップと、
前記第２の信号を、前記第１の信号の前記周波数スペクトルの外側の周波数に変調するステップであって、第１の変調信号をもたらす、ステップと、
合成信号を生成するように前記第１の信号を前記第１の変調信号と合成するステップと、
前記第２の信号を前記合成信号から抽出するステップと
を含む方法。
【請求項３０】
前記第２の信号が、温度信号、応力信号、磁界信号、測定信号、またはそれらの組合せである、請求項２９に記載の方法。